(57)【特許請求の範囲】
【請求項１】
室内に設置された調理器と、前記室内の空気を換気する換気装置と、前記室内の空気の質を検知する検知器と、連携制御部とを含み、
前記調理器は、加熱部と、前記加熱部の火力を制御する調理器制御部と、前記加熱部の火力の状態を含む調理器運転状態を前記連携制御部に伝達する調理器伝達部とを備え、
前記換気装置は、送風機と、前記送風機の風量を制御する換気装置制御部と、前記送風機の風量の状態を前記連携制御部に伝達する換気装置伝達部と、前記送風機の風量を手動で指示操作するための風量操作部とを備え、
前記検知器は、前記室内の空気の質を検知する検知部と、前記検知部が検知した空気の質を前記連携制御部に伝達する検知器伝達部とを備え、
前記連携制御部は、前記調理器伝達部から伝達された前記調理器運転状態情報と、前記換気装置伝達部から伝達された前記送風機の風量状態情報と、前記検知器伝達部から伝達された空気質情報のいずれかまたはこれらを組合せた情報に基づいて、前記換気装置制御部に前記送風機の風量を指示する換気制御システムであって、
前記連携制御部の指示に基づく風量で運転している状態において、前記風量操作部に対して指示操作がなされたと判断した場合には、所定時間が経過するまで前記連携制御部の指示は無効とされ、前記風量操作部に対する指示操作に基づいて前記送風機の風量を制御し、前記所定時間の経過後は前記無効を解除し、前記連携制御部の指示に基づいて前記送風機の風量を制御する、
換気制御システム。
【請求項２】
前記連携制御部は、最後に前記換気装置制御部に指示した前記送風機の風量を記憶する記憶部を有し、前記記憶部が記憶する風量と前記換気装置伝達部から伝達された風量状態情報における風量を比較し、両風量が互いに異なる場合、前記風量操作部に対して指示操作がなされたと判断することを特徴とする請求項１に記載の換気制御システム。
【請求項３】
前記換気装置伝達部は、前記風量操作部に対して指示操作があった場合、該指示操作があったことを前記連携制御部に伝達し、前記連携制御部は、該指示操作があったことを伝達された場合には、前記風量操作部に対して指示操作がなされたと判断することを特徴とする請求項１に記載の換気制御システム。
【請求項４】
前記連携制御部の指示を無効にするとは、
前記連携制御部が、前記所定時間が経過するまで前記換気装置制御部に前記送風機の風量を指示しない、または、
前記換気装置制御部が、前記所定時間が経過するまで前記連携制御部からの前記送風機の風量の指示を受け付けない、ことを特徴とする請求項１乃至３のいずれかに記載の換気制御システム。
【請求項５】
前記連携制御部は、前記所定時間経過する前であっても、前記空気質情報が異常と判断された場合は、前記調理器制御部に前記加熱部の火力の停止を指示することを特徴とする請求項１乃至４のいずれかに記載の換気制御システム。
【請求項６】
前記連携制御部は、前記所定時間経過する前であっても、前記空気質情報が異常と判断された場合は、前記換気装置制御部に前記送風機の風量の増加を指示することを特徴とする請求項１乃至５のいずれかに記載の換気制御システム。
【請求項７】
前記連携制御部は、前記所定時間経過する前に前記風量状態情報に変化があった場合、再び前記風量操作部に対して指示操作がなされたと判断し、前記風量状態情報に変化があった時から前記所定時間が経過するまで前記連携制御部の指示を無効とすることを特徴とする請求項１乃至６のいずれかに記載の換気制御システム。
【請求項８】
前記連携制御部は、前記所定時間経過する前に前記調理器運転状態情報に変化があった場合、前記調理器運転状態情報に対して予め定められた風量と、前記調理器運転状態情報に変化があった時の前記風量状態情報の風量を比較し、前記予め定められた風量の方が大きい場合、前記換気装置制御部に前記予め定められた風量を指示することを特徴とする請求項１乃至７のいずれかに記載の換気制御システム。
【発明の詳細な説明】
【技術分野】
【０００１】
本発明は、換気制御システムに関する。
【背景技術】
【０００２】
従来から、調理器から発生する油煙等を検知して、油煙等を含む空気を換気するために送風機の風量を制御する換気制御システムが知られている。たとえば、特許文献１は、手動運転状態を決定した後は、使用者の意図に反して調理用コンロからの信号を受信し、自動運転に変更されることがない換気装置を開示する。この換気装置は、送風機を設けた排出装置に調理用コンロの運転または停止の信号を受信するように設けた受信部が受信した信号に基づいて、排出装置に設けた送風機の運転を制御する。また、この換気装置は、手動による操作で送風機の運転を変更できるスイッチ操作部を設け、手動操作で運転したときには、自動運転を行わず手動運転を優先して行うことにより、使用者の意図に反して運転されることのない換気装置を提供する。
【先行技術文献】
【特許文献】
【０００３】
【特許文献１】特開２００３−２９４２８３号公報
【発明の概要】
【発明が解決しようとする課題】
【０００４】
しかし、油煙等を検知した濃度等に基づいて送風機の風量を制御している場合に、使用者が風量を変更しようと指示操作しても油煙等の濃度等の客観的な情報に基づく運転が優先されたり、使用者の指示操作により風量が変更されてもそのまま使用者が指示した風量が継続されたりして、使用者にとって使い勝手の悪い換気制御システムとなっている。
そこで、本発明は、火力の状態や空気質の状態などの客観情報に基づく運転と、使用者の意思に沿った運転とを適切に切り替えて、利便性を向上させたかつ安全性の高い換気制御システムを提供するものである。
【課題を解決するための手段】
【０００５】
上記課題を解決するために、室内に設置された調理器と、室内の空気を換気する換気装置と、室内の空気の質を検知する検知器と、連携制御部とを含み、調理器は、加熱部と、加熱部の火力を制御する調理器制御部と、加熱部の火力の状態を含む調理器運転状態を連携制御部に伝達する調理器伝達部とを備え、換気装置は、送風機と、送風機の風量を制御する換気装置制御部と、送風機の風量の状態を連携制御部に伝達する換気装置伝達部と、送風機の風量を手動で指示操作するための風量操作部とを備え、検知器は、室内の空気の質を検知する検知部と、検知部が検知した空気の質を連携制御部に伝達する検知器伝達部とを備え、連携制御部は、調理器伝達部から伝達された加熱部の調理器運転状態情報と、換気装置伝達部から伝達された送風機の風量状態情報と、検知器伝達部から伝達された空気質情報のいずれかまたはこれらを組合せた情報に基づいて、換気装置制御部に送風機の風量を指示する換気制御システムであって、連携制御部の指示に基づく風量で運転している状態において、風量操作部に対して指示操作がなされたと判断した場合には、所定時間が経過するまで連携制御部の指示は無効とされ、風量操作部に対する指示操作に基づいて送風機の風量を制御し、所定時間の経過後は無効を解除し、連携制御部の指示に基づいて送風機の風量を制御する換気制御システムが提供される。
これによれば、火力の状態や空気質の状態などの客観情報に基づく風量で運転している状態においても使用者の指示操作がなされたと判断した場合には、使用者の意思に沿った動作を提供すると共に、所定時間の経過後は再び客観情報に基づく風量で運転することで、利便性が向上した換気制御システムを提供できる。
【０００６】
さらに、連携制御部は、最後に換気装置制御部に指示した送風機の風量を記憶する記憶部を有し、記憶部が記憶する風量と換気装置伝達部から伝達された風量状態情報における風量を比較し、両風量が互いに異なる場合、風量操作部に対して指示操作がなされたと判断することを特徴としてもよい。
これによれば、簡易な構成により使用者の指示操作に基づく風量であるか否かを判断できるので、使用者の指示操作がなされたにも拘わらず、客観情報に基づく運転に切り替えてしまうことを所定時間防止することができる。また、これにより、使用者の意思に基づく運転制御が行われるため、利便性が向上する。
【０００７】
さらに、換気装置伝達部は、風量操作部に対して指示操作があった場合、その指示操作があったことを連携制御部に伝達し、連携制御部は、その指示操作があったことを伝達された場合には、風量操作部に対して指示操作がなされたと判断することを特徴としてもよい。
これによれば、簡易な構成により使用者の指示操作に基づく風量であるか否かを判断できるので、使用者の指示操作がなされたにも拘わらず、客観情報に基づく運転に切り替えてしまうことを所定時間防止することができる。また、これにより、使用者の意思に基づく運転制御が行われるため、利便性が向上する。
【０００８】
さらに、連携制御部の指示を無効にするとは、連携制御部が、所定時間が経過するまで換気装置制御部に送風機の風量を指示しない、または、換気装置制御部が、所定時間が経過するまで連携制御部からの送風機の風量の指示を受け付けないことを特徴としてもよい。
これによれば、的確に使用者の意思に基づく運転制御を行うことができる。
【０００９】
さらに、連携制御部は、所定時間経過する前であっても、空気質情報が異常と判断された場合は、調理器制御部に加熱部の火力の停止を指示することを特徴としてもよい。
これによれば、使用者の指示に基づき運転している場合であっても、異常状態に対応して調理器を停止することで安全性を確保することができる。
【００１０】
さらに、連携制御部は、所定時間経過する前であっても、空気質情報が異常と判断された場合は、換気装置制御部に送風機の風量の増加を指示することを特徴としてもよい。
これによれば、使用者の指示に基づき運転している場合であっても、異常状態に対応して換気装置の風量を増加することで安全性を確保することができる。
【００１１】
さらに、連携制御部は、所定時間経過する前に風量状態情報に変化があった場合、再び風量操作部に対して指示操作がなされたと判断し、風量状態情報に変化があった時から所定時間が経過するまで連携制御部の指示を無効とすることを特徴としてもよい。
これによれば、使用者の指示に基づき運転している場合にさらに使用者の指示操作が行われた場合、使用者の最後の指示操作を起点として、そこから所定時間が経過するまで使用者の意思に沿った運転を行うことで、使用者の指示に沿った運転を行うことができる。
【００１２】
さらに、連携制御部は、所定時間経過する前に調理器運転状態情報に変化があった場合、調理器運転状態情報に対して予め定められた風量と、調理器運転状態情報に変化があった時の風量状態情報の風量を比較し、予め定められた風量の方が大きい場合、換気装置制御部に予め定められた風量を指示することを特徴としてもよい。
これによれば、使用者の指示に基づいた風量で運転している場合であっても、調理器の火力などの運転状態に応じた風量より小さい場合には客観情報に基づいて運転されるので、適切に換気を行うことができる。
【発明の効果】
【００１３】
以上説明したように、本発明によれば、火力の状態や空気質の状態などの客観情報に基づく運転と、使用者の意思に沿った運転とを適切に切り替えて、利便性を向上させたかつ安全性の高い換気制御システムを提供できる。
【図面の簡単な説明】
【００１４】
【図１】本発明に係る第一実施例の換気制御システムが設置された室内の立面図。
【図２】本発明に係る第一実施例の換気制御システムのブロック図。
【図３】本発明に係る第一実施例の換気制御システムにおける連動オフ状態の際の動作を示す説明図。
【図４】本発明に係る第一実施例の換気制御システムにおける連動オン状態の際の動作を示す説明図（その１）。
【図５】本発明に係る第一実施例の換気制御システムにおける連動オン状態の際の動作を示す説明図（その２）。
【図６】本発明に係る第一実施例の換気制御システムにおける連動オン状態の際の動作を示す説明図（その３）。
【図７】本発明に係る第一実施例の変形例の換気制御システムにおける連動オン状態の際の動作を示す説明図。
【発明を実施するための形態】
【００１５】
以下では、図面を参照して、各実施例について説明する。
＜第一実施例＞
図１および図２を参照して、本実施例に係る換気制御システム１００について説明する。換気制御システム１００は、室内ＲＭに設置された調理器１０と、室内ＲＭの空気を換気する換気装置２０と、室内ＲＭの空気の質を検知する検知器３０と、検知器３０に設けられる連携制御部４０とを備える。室内ＲＭは、マンションや戸建てなど住宅におけるキッチン（台所）であるが、飲食店の厨房などであってもよい。
【００１６】
調理器１０は、使用者がなべやフライパンを使用し調理を行うための機器であり、調理のため調理器操作部１４を操作してなべ等を加熱すると、調理器１０の上方や周囲に熱、水分、油分、燃焼ガス等を発生させる。換気装置２０は、調理器１０の上方に設けられ、風量操作部２４を操作して、調理器１０が発生させた油分等を捕集し、屋外へ排気することにより、室内ＲＭの空気を換気する。検知器３０は、加熱された空気が滞留することが多い調理器近傍の壁面の天井付近に設けられ、室内ＲＭの空気質、たとえば、空気の温度、湿度、臭気、油分を含む油煙などの汚染物質、燃焼排ガス、未燃焼ガスなどを検知する検知部３１を有する。
【００１７】
したがって、検知器３０は、調理器１０の使用により、空気の温度や湿度の上昇、臭気の増加、油煙などの汚染物質、燃焼排ガス、未燃焼ガスなどの増加を検知したり、換気装置２０の使用により、空気の温度や湿度の下降、臭気の減少、油煙などの汚染物質、燃焼排ガス、未燃焼ガスなどの減少を検知したりする。検知器３０は、音を発する報知部（図示せず）を備えて、有害ガスなどを検知した場合には警報を鳴らす警報機であってもよい。連携制御部４０は、調理器１０、換気装置２０、および検知器３０の各機器が上述したように空気質の観点から関連しているので、各機器を連携させるために制御を行う。本実施例では、連携制御部４０は、検知器３０に備えられるが、これに特に限定されることはなく、調理器１０または換気装置２０に備えられてもよいし、これ以外の機器や、または独立に備えられてもよい。
【００１８】
調理器１０は、なべ等を加熱する加熱部１１と、加熱部１１の火力を使用者が調節する調理器操作部１４と、調理器操作部１４の指示に基づき加熱部１１の火力を制御する調理器制御部１２と、加熱部１１の火力の状態を含む調理器運転状態を連携制御部４０に伝達する調理器伝達部１３とを備える。調理器操作部１４は、加熱部１１におけるゼロから最大出力までの間の火力を多段階または無段階で調節可能に構成されている。たとえば、火力を多段階で調節できる場合、調理器操作部１４は、４つの押しボタンなどで構成されて、加熱部１１の火力を、「消火」（火力がゼロ）、「弱」、「中」、「強」（火力が最大出力）の４段階で調節できるようになっている。また、火力を無段階で調節できる場合、調理器操作部１４は、回転摘みなどで構成されて、加熱部１１の火力を回転摘みの回転角度に応じて火力を調節できるようになっている。なお、調理器運転状態には、加熱部１１の火力の状態以外に、調理器において事前設定された調理段階などの状態が含まれる。
【００１９】
調理器制御部１２は、調理器操作部１４が多段階の場合、「消火」の指示があれば火力をゼロにする。すなわち、調理器制御部１２は、火力のエネルギー源がガスであればガスの出力をなくし、電気であれば電力をゼロとするように制御する。また、調理器制御部１２は、「中」の指示であれば、最大出力の半分程度の火力を出力できるように加熱部１１の火力を制御する。さらに、調理器制御部１２は、調理器操作部１４が無段階の場合、たとえば回転摘みの回転角度に応じて火力を制御する。
【００２０】
調理器伝達部１３は、調理器操作部１４で指示され調理器制御部１２で制御された加熱部１１の火力などについての状態情報を連携制御部４０に伝達するべく、他の機器との間で通信を行う。調理器伝達部１３の通信の方法は、他の機器の通信方法と共通していれば、特に限定されない。たとえば、有線通信でもよいし無線通信であってもよい。無線通信の場合、Ｂｌｕｅｔｏｏｔｈ（登録商標）による通信、赤外線による通信、Ｗｉｆｉによる通信等であってもよい。
【００２１】
換気装置２０は、送風機２１と、送風機２１の風量を手動で指示操作するための風量操作部２４と、送風機２１の風量を制御する換気装置制御部２２と、送風機２１の風量の状態を連携制御部４０に伝達する換気装置伝達部２３とを備える。送風機２１は、油分等を含む空気を吸引し、屋外へ排気するための原動力となる。風量操作部２４は、送風機２１におけるゼロから最大出力までの間の風量を多段階で調節可能に構成されている。たとえば、風量操作部２４は、４つの押しボタンなどで構成されて、送風機２１の風量を、「停止」（風量がゼロ）、「弱」、「中」、「強」（風量が最大出力）の４段階で調節できるようになっている。
【００２２】
換気装置制御部２２は、「停止」の指示があれば風量をゼロにする。すなわち、換気装置制御部２２は、送風機２１への通電を行わないように制御する。また、換気装置制御部２２は、「強」の指示であれば、最大風量を出力できるように送風機２１へ最大電力を供給するように制御する。換気装置伝達部２３は、換気装置制御部２２で制御された送風機２１の風量についての状態情報を連携制御部４０に伝達するべく、他の機器との間で通信を行う。換気装置伝達部２３の通信の方法は、他の機器の通信方法と共通していれば、特に限定されない。
【００２３】
検知器３０は、室内ＲＭの空気の質を検知する検知部３１と、検知部３１で検知した空気の質をランク分けする検知器制御部３２と、検知部３１が検知した空気の質（空気の質の情報自体であってもよいし、後述するように検知器制御部３２がランク分けした空気の質のランクであってもよい。以下これらを空気質情報という。）を連携制御部４０に伝達する検知器伝達部３３と、を備える。検知部３１は、空気の温度、湿度、臭気、油分を含む油煙などの汚染物質、燃焼排ガス、未燃焼ガスなどを検知するセンサを備える。
【００２４】
検知器制御部３２は、検知部３１が検知した室内ＲＭの空気質を所定の基準に照らしてランク分けする。たとえば、検知器制御部３２は、室内ＲＭの空気質を、「正常」、「やや悪い」、「悪い」、「非常に悪い」の４つにランク分けする。たとえば、室内ＲＭの空気の温度が２５°Ｃ、湿度が５０％であり、油分等の汚染物質がない場合、検知器制御部３２は、室内ＲＭの空気質は「正常」のランクにランク分けする。また、たとえば、検知部３１が検知した室内ＲＭの空気質が悪化した場合は、検知器制御部３２は、悪化の程度に応じて、室内ＲＭの空気質が「やや悪い」、「悪い」、「非常に悪い」のいずれかのランクにランク分けする。
【００２５】
検知器伝達部３３は、空気質情報を連携制御部４０に伝達するべく、他の機器との間で通信を行う。換気装置伝達部２３の通信の方法は、他の機器の通信方法と共通していれば、特に限定されない。なお、本実施例の場合、調理器１０や換気装置２０との伝達のためには共通な通信方法を行う必要があるが、連携制御部４０は検知器３０に設けられているので、空気質情報を連携制御部４０に伝達するためのローカルな通信方法であってもよい。
【００２６】
連携制御部４０は、本実施例の場合、調理器伝達部１３から検知器伝達部３３を経由して伝達された加熱部１１の調理器運転状態情報と、換気装置伝達部２３から検知器伝達部３３を経由して伝達された送風機２１の風量状態情報と、検知器伝達部３３から伝達された空気質情報とを取得する。たとえば、連携制御部４０が調理器１０に備えられる場合、連携制御部４０は、調理器伝達部１３から伝達された加熱部１１の調理器運転状態情報と、換気装置伝達部２３から調理器伝達部１３を経由して伝達された送風機２１の風量状態情報と、検知器伝達部３３から調理器伝達部１３を経由して伝達された空気質情報とを取得する。また、連携制御部４０が、調理器１０、換気装置２０、検知器３０のいずれにも備えられず、独立して設けられる場合には、連携制御部４０は、自身で他の機器の伝達部と通信できるように伝達部を備えた上で、各機器の伝達部からそれぞれの調理器運転状態情報、風量状態情報、空気質情報を取得する。また、連携制御部４０は、調理器運転状態情報、風量状態情報、空気質情報のすべてではなく、必要に応じてこれらの一部の情報だけを取得してもよい。
【００２７】
連携制御部４０は、これらの情報に基づいて、図３乃至図６に述べる方法で、換気装置制御部２２に送風機２１の風量を指示する。まず、図３を参照して、連携制御部４０が、調理器運転状態情報、風量状態情報、および空気質情報を利用せず、調理器１０、換気装置２０、および検知器３０が互いに連携しない状態（連動オフ状態）を説明する。
【００２８】
連動オフ状態であっても、検知器３０は、室内ＲＭの空気質を検知し、検知器制御部３２は、検知した空気質をランク分けして、「正常」である場合にはその旨の情報を、「悪い」などの「異常」である場合にはその旨の情報を空気質情報として連携制御部４０に伝達する。しかし、連動オフ状態の場合は、連携制御部４０は、伝達された空気質が「正常」である旨、または「異常」である旨の情報、またはそれらに基づく必要な風量の情報を換気装置制御部２２に伝達しない。
【００２９】
また、連動オフ状態であっても、調理器１０は、使用者の操作により点火されたことや火力が「中」や「強」に変化したことをその時の調理器運転状態情報として連携制御部４０に伝達する。しかし、連動オフ状態の場合は、連携制御部４０は、伝達された火力が「中」である旨、または「強」である旨、「消火」された旨などの情報、またはそれらに基づく必要な風量の情報を換気装置制御部２２に伝達しない。
【００３０】
また、換気装置２０は、使用者の風量操作部２４に対する操作により「中」の風量が指示された場合は、換気装置制御部２２は「中」の風量が出力できるように送風機２１を制御し（風量中運転）、連動オフ状態であっても、「中」で運転されている旨を風量状態情報として連携制御部４０へ伝達する。しかし、連動オフ状態の場合は、連携制御部４０は、伝達された風量が「中」などである旨の情報を、検知器３０や調理器１０に伝達しない。
【００３１】
図４は、連携制御部４０が、調理器運転状態情報および空気質情報を利用して、調理器１０、換気装置２０、および検知器３０が互いに連携する状態（連動オン状態）における基本的な動作を示す。検知器３０は、同様に、室内ＲＭの空気質を検知し、検知器制御部３２は、検知した空気質をランク分けして、「正常」や「異常」などの旨の情報を空気質情報として連携制御部４０に伝達する。そして、さらに連携制御部４０は、伝達された空気質が「正常」や「異常」である旨の情報またはそれに基づく必要な風量を換気装置制御部２２に伝達し、指示する。
【００３２】
たとえば、検知器３０が特に「異常」を検知せず、「正常」の空気質情報を連携制御部４０に伝達していた際に、検知器３０が臭気の「異常」を検知した場合、検知器３０は「異常」の空気質情報を連携制御部４０に伝達すると共に、連携制御部４０は、「異常」である旨の情報またはその「異常」のレベルに基づく必要な風量を換気装置制御部２２に伝達し、指示する。そうすると、換気装置制御部２２は、送風機２１をその指示された風量を出力するように制御する。換気装置２０が指示された風量で運転したことにより臭気が屋外に排気されると、検知器３０は、その空気質を検知して「正常」にランク分けし、空気質情報として連携制御部４０に伝達する。そして、連携制御部４０は、伝達された空気質が「正常」である旨の情報またはそれに基づいて風量が不要（風量がゼロ）の停止指示を換気装置制御部２２に行う。そうすると、換気装置制御部２２は、送風機２１を停止する。
【００３３】
また、調理器１０は、「消火」の状態から加熱部１１が点火されて「中」の火力となった場合、火力が「中」である旨の調理器運転状態情報を連携制御部４０に伝達する。そして、さらに連携制御部４０は、火力が「中」である旨の情報またはそれに対応する風量である「中」の風量の情報を換気装置制御部２２に伝達、指示する。さらに、調理器１０は、「中」の状態から「強」の火力となった場合、火力が「強」である旨の調理器運転状態情報を連携制御部４０に伝達する。そして、さらに連携制御部４０は、火力が「強」である旨の情報またはそれに対応する風量である「強」の風量の情報を換気装置制御部２２に伝達、指示する。そして、調理器１０は、「強」の状態から「消火」された場合、火力がゼロである旨の調理器運転状態情報を連携制御部４０に伝達する。そして、連携制御部４０は、伝達された調理器運転状態情報に基づく風量であるゼロの風量（「停止」）を換気装置制御部２２に伝達、指示する。
【００３４】
なお、本実施例では、調理器１０が、「消火」、「弱」、「中」、「強」の４段階で火力を調節でき、換気装置２０が、「停止」、「弱」、「中」、「強」の４段階で風量を調節できる場合を例示として説明しているので、調理器１０の「消火」状態と換気装置２０の「停止」状態、調理器１０の「弱」状態と換気装置２０の「弱」状態、調理器１０の「中」状態と換気装置２０の「中」状態、調理器１０の「強」状態と換気装置２０の「強」状態にそれぞれ対応している。もちろんこれに限定されず、調理器１０が「消火」、「弱」、「中」、「強」、「最強」の５段階で火力を調節できる場合、調理器１０の「消火」状態と換気装置２０の「停止」状態、調理器１０の「弱」状態と換気装置２０の「弱」状態、調理器１０の「中」状態と換気装置２０の「中」状態、調理器１０の「強」または「最強」状態と換気装置２０の「強」状態に対応してもよい。また、調理器１０が無段階の調節が可能な場合、調理器操作部１４の回転摘みの回転角度に対応させて風量を決めてもよい。
【００３５】
また、連携制御部４０が、空気質情報および調理器運転状態情報を、対応する風量に変換してから換気装置制御部２２にその風量を伝達、指示してもよいし、伝達された空気質情報および調理器運転状態情報をそのまま換気装置制御部２２に伝達し、換気装置制御部２２がその空気質情報および調理器運転状態情報に対応した風量に変換して、送風機２１にその風量を指示してもよい。
【００３６】
図５は、連携制御部４０が、調理器運転状態情報および空気質情報を利用して、調理器１０、換気装置２０、および検知器３０が互いに連携する状態（連動オン状態）において、検知器３０の検知と調理器１０の操作が同時並行的に起こる場合の動作を示す。初期状態は、調理器１０は「消火」状態、検知器３０は「正常」状態、換気装置２０は「停止」状態である。
【００３７】
使用者が調理器１０を火力「中」で点火すると、調理器制御部１２は、火力が「中」である旨の調理器運転状態情報を連携制御部４０に伝達する。連携制御部４０は、伝達された調理器運転状態情報に対応した「中」の風量を換気装置制御部２２に伝達し、換気装置２０は、風量を「中」で運転する。換気装置２０が「中」で運転している際に、検知器３０が臭気レベルが小などのあまり重大でない異常（異常（小））を検知した場合、検知器３０は「異常（小）」としての空気質情報を連携制御部４０に伝達する。空気質情報の「異常（小）」に対応する風量が「弱」である場合、連携制御部４０は、調理器１０の調理器運転状態情報がより大きな風量が必要な状態なので、風量を「弱」とする指示はしない。このように、連携制御部４０は、１つの機器の状態に基づいてある風量で運転するように指示した後に、別の機器からその風量より小さな風量で運転してもよい状態の伝達を受けても、風量を変更せず、先の風量を維持する。これにより、より安全な換気制御が可能となる。
【００３８】
換気装置２０が風量「中」で運転している際に、検知器３０が臭気レベルが大などの大きな異常（異常（大））を検知した場合、検知器３０は「異常（大）」としての空気質情報を連携制御部４０に伝達する。空気質情報の「異常（大）」に対応する風量が「強」である場合、連携制御部４０は、調理器１０の調理器運転状態情報より大きな風量が必要となったので、風量を「強」とする指示を行う。このように、連携制御部４０は、１つの機器の状態に基づいてある風量で運転するように指示した後に、別の機器からその風量より大きな風量で運転する状態の伝達を受けた場合、風量を変更し、より大きな風量で運転するように指示する。これにより、より安全な換気制御が可能となる。
【００３９】
換気装置２０が風量「強」で運転している際に、調理器１０が使用者の操作により「消火」状態となった場合、調理器制御部１２は、火力がゼロになった旨の調理器運転状態情報を連携制御部４０に伝達する。調理器１０が単独で「消火」となった場合、連携制御部４０は、通常換気装置制御部２２に風量をゼロとすべく運転の停止を指示するが、検知器３０が伝達した「異常（大）」の空気質情報に基づいて風量「強」の運転を行っているので、風量を「停止」状態とする指示はしない。この場合も上述したように、連携制御部４０は、１つの機器の状態に基づいてある風量で運転するように指示した後に、別の機器からその風量より小さな風量で運転してもよい状態の伝達を受けても、風量を変更せず、先の風量を維持する。これにより、より安全な換気制御が可能となる。
【００４０】
その後、換気装置２０が風量「強」で運転し続け臭気等を排気したことにより、検知器３０は異常を検知せず「正常」を検知した場合、「正常」の空気質情報を連携制御部４０に伝達する。この伝達により、連携制御部４０は運転を継続する理由が消滅したので、換気装置制御部２２に「停止」を伝達、指示する。
【００４１】
図６は、連携制御部４０が、調理器運転状態情報および空気質情報を利用して、調理器１０、換気装置２０、および検知器３０が互いに連携する状態（連動オン状態）において、使用者が換気装置２０の風量操作部２４を操作して手動で風量を変更する場合の動作を示す。初期状態は、調理器１０は「消火」状態、検知器３０は「正常」状態、換気装置２０は「停止」状態である。
【００４２】
使用者が調理器１０を火力「弱」で点火すると、調理器制御部１２は、火力が「弱」である旨の調理器運転状態情報を連携制御部４０に伝達する。連携制御部４０は、伝達された調理器運転状態情報に対応した「弱」の風量を換気装置制御部２２に伝達し、換気装置２０は、風量を「弱」で運転する。換気装置２０が「弱」で運転している際に、使用者は、たとえば室内ＲＭの温度を下げようと思い、風量操作部２４を操作して換気装置２０の風量を「中」とする指示操作をした。そうすると、換気装置制御部２２は、送風機２１を風量「中」で運転するよう制御すると共に、その指示操作あったことを連携制御部４０に伝達する。かかる伝達があった場合、連携制御部４０は、風量操作部２４に対して指示操作がなされたと判断する。このようにすることで、簡易な構成により使用者の指示操作に基づく風量であるか否かを判断できる。
【００４３】
換気装置２０が、空気質情報や調理器運転状態情報に対応した風量で連携制御部４０の指示による運転している状態において、風量操作部２４の操作により風量が指示された場合、所定期間手動優先モードになる。手動優先モードとは、このモードの時に空気質情報や調理器運転状態情報が伝達されて風量を変更する場合であっても変更を行わないモードである。所定期間とは、使用者の意思によりその風量を継続したい時間であり、数分から数十分が想定され、適宜定められる。
【００４４】
たとえば、本図に示すように、手動優先モードが継続している最中に、調理器１０の火力が「強」とされた旨の調理器運転状態情報が伝達されても、風量操作部２４に対して風量「中」とする指示操作がなされているので、連携制御部４０の指示は無効とされる。なお、この場合の「連携制御部４０の指示が無効にされる」とは、連携制御部４０が、所定時間が経過するまで換気装置制御部２２に送風機２１の風量を指示しない、または、換気装置制御部２２が、所定時間が経過するまで連携制御部４０からの送風機２１の風量の指示を受け付けない、または、換気装置制御部２２が、連携制御部４０からの送風機２１の風量の指示を受け付けても、所定時間が経過するまで送風機２１に風量の指示を行わないことを意味する。これによれば、換気制御システム１００は、的確に使用者の意思に基づく運転制御を行うことができる。
【００４５】
そして、所定時間が経過すると、連携制御部４０は、手動優先モードを解除し、連動オン状態に戻る。そうすると、たとえば、検知器３０が異常（大）を検知した場合、その旨の空気質情報を連携制御部４０に伝達し、連携制御部４０は、異常（大）の空気質情報に対応する風量である風量「強」の指示を換気装置制御部２２に行う。上述したように、連携制御部４０の指示に基づく風量で運転している状態において、連携制御部４０が風量操作部２４に対して指示操作がなされたと判断した場合には、所定時間が経過するまで連携制御部４０の指示を無効とし、換気装置制御部２２は風量操作部２４に対する指示操作に基づいて送風機２１の風量を制御する。そして、連携制御部４０はその所定時間の経過後は指示の無効を解除し、換気制御システム１００は、連携制御部４０の指示に基づいて送風機２１の風量を制御する。
【００４６】
このように、火力の状態や空気質の状態などの客観情報に基づく風量で運転している状態においても使用者の指示操作がなされたと判断した場合には、使用者の意思に沿った動作を提供すると共に、所定時間の経過後は再び客観情報に基づく風量で運転することで、利便性が向上した換気制御システム１００を提供できる。また、風量操作部２４に指示操作あったことの伝達があった場合、連携制御部４０は、風量操作部２４に対して指示操作がなされたと判断することで、簡易な構成により使用者の指示操作に基づく風量であるか否かを判断できるので、使用者の指示操作がなされたにも拘わらず、客観情報に基づく運転に切り替えてしまうことを所定時間防止することができる。また、これにより、使用者の意思に基づく運転制御が行われるため、利便性が向上する。
【００４７】
＜第一実施例の変形例＞
図７は、連携制御部４０が、調理器運転状態情報および空気質情報を利用して、調理器１０、換気装置２０、および検知器３０が互いに連携する状態（連動オン状態）において、使用者が換気装置２０の風量操作部２４を操作して手動で風量を変更した後、所定時間内に火力の変更や空気質が悪化した場合の動作を示す。
【００４８】
使用者が調理器１０を火力「中」で点火すると、調理器制御部１２は、火力が「中」である旨の調理器運転状態情報を連携制御部４０に伝達する。連携制御部４０は、伝達された調理器運転状態情報に対応した「中」の風量を換気装置制御部２２に伝達し、換気装置２０は、風量を「中」で運転する。換気装置２０が「中」で運転している際に、使用者は、風量操作部２４を操作して換気装置２０の風量を「弱」とする指示操作をした。そうすると、換気装置制御部２２は、送風機２１を風量「弱」で運転するように制御すると共に、その指示操作があったことを連携制御部４０に伝達する。かかる伝達があった場合、連携制御部４０は、風量操作部２４に対して指示操作がなされたと判断する。
【００４９】
換気装置２０が、空気質情報や調理器運転状態情報に対応した風量で連携制御部４０の指示による運転している状態において、風量操作部２４の操作により風量が指示された場合、換気装置制御部２２は連携制御部４０に指示操作があった旨を伝達し、所定期間手動優先モードになる。この手動優先モードが継続している最中に、調理器１０の火力が「中」とされたた場合、その旨の調理器運転状態情報が伝達され、連携制御部４０は、換気装置制御部２２に風量「中」とする旨を伝達、指示してもよい。このように、連携制御部４０は、所定時間経過する前に調理器運転状態情報に変化があった場合、調理器運転状態情報に対して予め定められた風量と、調理器運転状態情報に変化があった時の風量状態情報の風量を比較し、予め定められた風量の方が大きい場合、換気装置制御部２２に風量が大きい方の風量である予め定められた風量を指示してもよい。これによれば、使用者の指示に基づいた風量で運転している場合であっても、調理器の火力に応じた風量より小さい場合には客観情報に基づいて運転されるので、適切に換気を行うことができる。
【００５０】
また、換気装置制御部２２が風量「中」で運転しており、手動優先モードが継続している最中であっても、検知器３０が有害ガスを検知して、「異常（危険）」の空気質情報が連携制御部４０に伝達された場合、連携制御部４０は、風量「大」を換気装置制御部２２に伝達、指示してもよい。すなわち、連携制御部４０は、所定時間経過する前であっても、すなわち手動優先モードが継続している最中に、空気質情報が異常（危険）と判断された場合は、換気装置制御部２２に送風機２１の風量の増加を指示してもよい。こうすることにより、使用者の指示に基づき運転している場合であっても、異常状態に対応して換気装置の風量を増加することで安全性を確保することができる。また、この場合、連携制御部４０は、調理器制御部１２に加熱部１１の火力の停止（消火）を指示してもよい。こうすることにより、使用者の指示に基づき運転している場合であっても、異常（危険）状態に対応して調理器１０を停止することで安全性を確保することができる。
【００５１】
換気装置２０が、空気質情報や調理器運転状態情報に対応した風量で連携制御部４０の指示による運転している状態において、風量操作部２４の操作により風量が指示された場合、換気装置制御部２２は連携制御部４０に指示操作があった旨を伝達せず、風量状態情報を伝達するようにしてもよい。この場合、連携制御部４０は、最後に換気装置制御部２２に指示した送風機２１の風量を記憶する記憶部４１を有し、記憶部４１が記憶する風量と換気装置伝達部２３から伝達された風量状態情報における風量を比較し、両風量が互いに異なる場合、風量操作部２４に対して指示操作がなされたと判断する。これによれば、簡易な構成により使用者の指示操作に基づく風量であるか否かを判断できるので、使用者の指示操作がなされたにも拘わらず、客観情報に基づく運転に切り替えてしまうことを所定時間防止することができる。また、これにより、使用者の意思に基づく運転制御が行われるため、利便性が向上する。
【００５２】
さらに、連携制御部４０は、所定時間経過する前に風量状態情報に変化があった場合、再び風量操作部２４に対して指示操作がなされたと判断し、風量状態情報に変化があった時からさらに所定時間が経過するまで連携制御部４０の指示が無効にされることとしてもよい。これによれば、使用者の指示に基づき運転している場合にさらに使用者の指示操作が行われた場合、使用者の最後の指示操作を起点として、そこから所定時間が経過するまで使用者の意思に沿った運転を行うことで、使用者の指示に沿った運転を行うことができる。
【００５３】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、適用例、その他の詳細な構成において、当業者が様々な変形を加えることができるものである。
【符号の説明】
【００５４】
１００    換気制御システム
１０      調理器
１１      加熱部
１２      調理器制御部
１３      調理器伝達部
１４      調理器操作部
２０      換気装置
２１      送風機
２２      換気装置制御部
２３      換気装置伝達部
２４      風量操作部
３０      検知器
３１      検知部
３２      検知器制御部
３３      検知器伝達部
４０      連携制御部
４１      記憶部
ＲＭ      室内
【図１】
0006591914.tif 000002
【図２】
0006591914.tif 000003
【図３】
0006591914.tif 000004
【図４】
0006591914.tif 000005
【図５】
0006591914.tif 000006
【図６】
0006591914.tif 000007
【図７】
0006591914.tif 000008